【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
プリントサーバの共有プリンタを利用して印刷するための第１のプリンタドライバがインストールされた情報処理装置であって、
プリントサーバを経由せずに通信回線を介して接続されているプリンタを利用するための第２のプリンタドライバのインストールが指示された際に、前記第２のプリンタドライバが、前記第１のプリンタドライバと同じ種類であり、かつ、前記第１のプリンタドライバより新しいバージョンであるかを判断する判断手段と、
前記判断手段により、前記第２のプリンタドライバが、前記第１のプリンタドライバと同じ種類であり、かつ、前記第１のプリンタドライバより新しいバージョンであったと判断された場合、前記第１のプリンタドライバに対応する既存のプリンタオブジェクトの設定操作を行いつつ、プリントサーバを経由せずに通信回線を介して接続されているプリンタを利用するために前記第２のプリンタドライバに対応するプリンタオブジェクトをセットアップする制御手段と、
を有することを特徴とする情報処理装置。
【請求項２】
前記制御手段は、前記判断手段により、前記第２のプリンタドライバが、前記第１のプリンタドライバと同じ種類であり、かつ、前記第１のプリンタドライバより新しいバージョンであったと判断された場合、前記第１のプリンタドライバに対応する既存のプリンタオブジェクトを削除しつつ、プリントサーバを経由せずに通信回線を介して接続されているプリンタを利用するために前記第２のプリンタドライバに対応するプリンタオブジェクトをセットアップすることを特徴とする請求項１に記載の情報処理装置。
【請求項３】
前記制御手段は、前記新たにセットアップされるプリンタオブジェクトの出力先となる第１のプリンタが、前記既存のプリンタオブジェクトの出力先となる第２のプリンタと異なる場合には、当該第２のプリンタが出力先として設定されたプリンタオブジェクトを前記第２のプリンタドライバを用いてセットアップすることを特徴とする請求項２に記載の情報処理装置。
【請求項４】
前記制御手段は、前記判断手段により、前記第２のプリンタドライバが、前記第１のプリンタドライバと同じ種類であり、かつ、前記第１のプリンタドライバより新しいバージョンであったと判断された場合、前記プリントサーバのプリンタドライバの更新に応じて、前記第１のプリンタドライバに対応する既存のプリンタオブジェクトの設定操作として、当該プリンタオブジェクトを前記第２のプリンタドライバのインストールに応じて更新しつつ、プリントサーバを経由せずに通信回線を介して接続されているプリンタを利用するために前記第２のプリンタドライバに対応するプリンタオブジェクトをセットアップすることを特徴とする請求項１に記載の情報処理装置。
【請求項５】
プリントサーバの共有プリンタを利用して印刷するための第１のプリンタドライバがインストールされた情報処理装置と通信回線を介して接続された管理サーバであって、
前記プリントサーバを経由せずに通信回線を介して接続されているプリンタを利用するための第２のプリンタドライバの前記情報処理装置へのインストールが指示された際に、前記第２のプリンタドライバが、前記第１のプリンタドライバと同じ種類であり、かつ、前記第１のプリンタドライバより新しいバージョンであると判断されたことに従い、前記第２のプリンタドライバを用いた前記プリントサーバの更新処理を指示する指示手段を有し、
前記プリントサーバでの更新処理に応じて、前記情報処理装置において、前記プリントサーバを経由せずに通信回線を介して接続されているプリンタを利用するために前記第２のプリンタドライバに対応するプリンタオブジェクトのセットアップが行われることを特徴とする管理サーバ。
【請求項６】
プリントサーバの共有プリンタを利用して印刷するための第１のプリンタドライバがインストールされた情報処理装置における情報処理方法であって、
プリントサーバを経由せずに通信回線を介して接続されているプリンタを利用するための第２のプリンタドライバのインストールが指示された際に、前記第２のプリンタドライバが、前記第１のプリンタドライバと同じ種類であり、かつ、前記第１のプリンタドライバより新しいバージョンであるかを判断する判断工程と、
前記判断工程で、前記第２のプリンタドライバが、前記第１のプリンタドライバと同じ種類であり、かつ、前記第１のプリンタドライバより新しいバージョンであったと判断された場合、前記第１のプリンタドライバに対応する既存のプリンタオブジェクトの設定操作を行いつつ、プリントサーバを経由せずに通信回線を介して接続されているプリンタを利用するために前記第２のプリンタドライバに対応するプリンタオブジェクトをセットアップする制御工程と、
を有することを特徴とする情報処理方法。
【請求項７】
プリントサーバの共有プリンタを利用して印刷するための第１のプリンタドライバがインストールされた情報処理装置と通信回線を介して接続された管理サーバにおける情報処理方法であって、
前記プリントサーバを経由せずに通信回線を介して接続されているプリンタを利用するための第２のプリンタドライバの前記情報処理装置へのインストールが指示された際に、前記第２のプリンタドライバが、前記第１のプリンタドライバと同じ種類であり、かつ、前記第１のプリンタドライバより新しいバージョンであると判断されたことに従い、前記第２のプリンタドライバを用いた前記プリントサーバの更新処理を指示する指示工程を有し、
前記プリントサーバでの更新処理に応じて、前記情報処理装置において、前記プリントサーバを経由せずに通信回線を介して接続されているプリンタを利用するために前記第２のプリンタドライバに対応するプリンタオブジェクトのセットアップが行われることを特徴とする情報処理方法。
【請求項８】
請求項１乃至４のいずれか１項に記載の手段としてコンピュータを機能させるためのプログラム。
【請求項９】
請求項５に記載の手段としてコンピュータを機能させるためのプログラム。
【手続補正２】
【補正対象書類名】明細書
【補正対象項目名】発明の名称
【補正方法】変更
【補正の内容】
【発明の名称】情報処理装置、管理サーバ、情報処理方法、及びプログラム
【手続補正３】
【補正対象書類名】明細書
【補正対象項目名】０００６
【補正方法】変更
【補正の内容】
【０００６】
本発明の一実施形態の情報処理装置は、プリントサーバの共有プリンタを利用して印刷するための第１のプリンタドライバがインストールされた情報処理装置である。前記情報処理装置は、プリントサーバを経由せずに通信回線を介して接続されているプリンタを利用するための第２のプリンタドライバのインストールが指示された際に、前記第２のプリンタドライバが、前記第１のプリンタドライバと同じ種類であり、かつ、前記第１のプリンタドライバより新しいバージョンであるかを判断する判断手段と、前記判断手段により、前記第２のプリンタドライバが、前記第１のプリンタドライバと同じ種類であり、かつ、前記第１のプリンタドライバより新しいバージョンであったと判断された場合、前記第１のプリンタドライバに対応する既存のプリンタオブジェクトの設定操作を行いつつ、プリントサーバを経由せずに通信回線を介して接続されているプリンタを利用するために前記第２のプリンタドライバに対応するプリンタオブジェクトをセットアップする制御手段と、を有する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】